(57)【特許請求の範囲】
【請求項１】
エレベータの操作盤に部品を取り付けるための治具であって、
前記操作盤のプレートから突出するボタン部を内周部で保持する保持孔部と、
前記部品が内部に配置され、前記操作盤へ向けて前記部品を内周部で案内する案内孔部と、を備える、治具。
【請求項２】
ボタンの表面に取り付けられる前記部品に対して、
前記案内孔部は、前記保持孔部に連通する、請求項１に記載の治具。
【請求項３】
前記部品を支持して前記操作盤へ向けて押すために、前記案内孔部の内部を移動可能な支持部と、
前記支持部に固定され、前記支持部が前記案内孔部の内部を移動するために操作される操作部と、をさらに備える、請求項１又は２に記載の治具。
【請求項４】
外周部に凹凸部を有する円形状の前記部品に対して、
前記案内孔部は、内周部に、前記凹凸部を周方向で引っ掛ける引掛部を備える、請求項１〜３の何れか１項に記載の治具。
【請求項５】
前記引掛部は、前記案内孔部の内周部の下方に配置される、請求項４に記載の治具。
【発明の詳細な説明】
【技術分野】
【０００１】
本出願は、治具に関する。
【背景技術】
【０００２】
従来、例えば、エレベータの操作盤は、かごの内部に配置されるかご操作盤と、乗場に配置される乗場操作盤とを備えている（例えば、特許文献１）。ところで、最近、エレベータの操作盤に部品（例えば、ボタンプレート、点字プレート等）を取り付けることが要望されている。そして、操作盤の所望の位置に部品を取り付ける作業は、煩雑な作業となっている。
【先行技術文献】
【特許文献】
【０００３】
【特許文献１】特開２０１７−５７０６７号公報
【発明の概要】
【発明が解決しようとする課題】
【０００４】
そこで、課題は、操作盤の所望の位置に部品を容易に取り付けることができる治具を提供することである。
【課題を解決するための手段】
【０００５】
治具は、エレベータの操作盤に部品を取り付けるための治具であって、前記操作盤のプレートから突出するボタン部を内周部で保持する保持孔部と、前記部品が内部に配置され、前記操作盤へ向けて前記部品を内周部で案内する案内孔部と、を備える。
【０００６】
また、治具においては、ボタンの表面に取り付けられる前記部品に対して、前記案内孔部は、前記保持孔部に連通する、という構成でもよい。
【０００７】
また、治具は、前記部品を支持して前記操作盤へ向けて押すために、前記案内孔部の内部を移動可能な支持部と、前記支持部に固定され、前記支持部が前記案内孔部の内部を移動するために操作される操作部と、をさらに備える、という構成でもよい。
【０００８】
また、治具においては、外周部に凹凸部を有する円形状の前記部品に対して、前記案内孔部は、内周部に、前記凹凸部を周方向で引っ掛ける引掛部を備える、という構成でもよい。
【０００９】
また、治具においては、前記引掛部は、前記案内孔部の内周部の下方に配置される、という構成でもよい。
【図面の簡単な説明】
【００１０】
【図１】図１は、エレベータかごの内部概要図である。
【図２】図２は、図１のII−II線拡大断面図である。
【図３】図３は、一実施形態に係る治具の斜視図である。
【図４】図４は、同実施形態に係る治具の側面図である。
【図５】図５は、図３のＶ−Ｖ線断面図である。
【図６】図６は、同実施形態に係る治具の分解斜視図である。
【図７】図７は、同実施形態に係る治具によって操作盤に取り付けられる部品の正面図である。
【図８】図８は、同実施形態に係る治具の正面図である。
【図９】図９は、部品が治具の内部に配置された状態を示す縦断面図である。
【図１０】図１０は、治具がボタン部を保持した状態を示す縦断面図である。
【図１１】図１１は、図１０の状態を示す背面図である。
【図１２】図１２は、治具が部品を移動させた状態を示す背面図である。
【図１３】図１３は、図１２の状態を示す縦断面図である。
【図１４】図１４は、部品がボタンの表面に取り付けられた状態を示す縦断面図である。
【発明を実施するための形態】
【００１１】
以下、治具における一実施形態について、図１〜図１４を参照しながら説明する。なお、各図において、図面の寸法比と実際の寸法比とは、必ずしも一致しておらず、また、各図面の間での寸法比も、必ずしも一致していない。
【００１２】
まず、本実施形態に係る治具の各構成を説明するのに先立って、エレベータについて説明する。
【００１３】
図１に示すように、エレベータは、例えば、かご１１の内部に操作盤１２を備えている。操作盤１２は、例えば、表面が平面状であるプレート１３と、少なくとも一つのボタン１４とを備えている。なお、図示していないが、操作盤１２は、例えば、乗場にも備えられている。
【００１４】
操作盤１２の構成は、特に限定されないが、例えば、図２（ａ）に示すように、ボタン１４の一部は、プレート１３から突出していてもよい。なお、操作盤１２は、例えば、ボタン１４に、プレート１３から突出する方向の力を加えるにバネ材（図示していない）を備え、ボタン１４は、プレート１３に対して当該突出する方向に移動可能である、という構成でもよい。
【００１５】
また、例えば、図２（ｂ）に示すように、操作盤１２は、ボタン１４を囲うように外側に配置されるボタン枠１５を備えており、ボタン１４の一部及びボタン枠１５の一部は、プレート１３から突出している、という構成でもよい。なお、ボタン枠１５は、例えば、図２（ｂ）に示すように、プレート１３と別の部品であってもよく、また、例えば、プレート１３と同じ部品であってもよい。
【００１６】
ところで、プレート１３から突出している部分は、ボタン部１２ａという。例えば、図２（ａ）に係る操作盤１２においては、ボタン部１２ａは、ボタン１４の一部で構成され、図２（ｂ）に係る操作盤１２においては、ボタン部１２ａは、ボタン１４の一部及びボタン枠１５の一部で構成されている。
【００１７】
図３〜図６に示すように、治具１は、操作盤１２に部品２０（図７参照）を取り付けるために用いられる治具１である。例えば、治具１は、本実施形態のように、本体２と、本体２に対して移動可能な可動体３とを備えていてもよい。そして、本体２は、例えば、ボタン部１２ａを保持する保持部４と、保持部４よりも後方に配置されるベース部５と、保持部４とベース部５とを接続する接続部６とを備えていてもよい。
【００１８】
なお、各図、及び、以下の説明において、治具１の各方向Ｄ１〜Ｄ３は、操作盤１２に部品２０を取り付けるときに、作業者（図１１及び図１２参照）から見た向きを基準にして定められる。第１横方向Ｄ１は、前後方向Ｄ１であり、第１横方向Ｄ１と直交する第２横方向Ｄ２は、左右方向Ｄ２であり、第１横方向Ｄ１及び第２横方向Ｄ２と直交する第３方向Ｄ３は、上下方向Ｄ３である。
【００１９】
前後方向Ｄ１のうち、各図の矢印方向は、前方であり、各図の矢印方向と反対方向は、後方である。左右方向Ｄ２のうち、各図の矢印方向は、左方であり、各図の矢印方向と反対方向は、右方である。上下方向Ｄ３のうち、各図の矢印方向は、上方であり、各図の矢印方向と反対方向を下方である。なお、前後、左右、及び上下については、説明の便宜上で用いるためであって、実物において、前後が反対になったり、左右が反対になったり、そして、上下が反対になったりしてもよいことは勿論である。
【００２０】
保持部４は、ボタン部１２ａを内周部で保持する保持孔部４ａと、部品２０が内部に配置され、部品２０を内周部で案内する案内孔部４ｂとを備えている。また、保持部４は、例えば、本実施形態のように、操作盤１２のプレート１３の表面に接するプレート当接部４ｃと、操作盤１２のボタン１４の表面に接するボタン当接部４ｄと、案内孔部４ｂを外部へ開放する開放部４ｅとを備えていてもよい。
【００２１】
保持孔部４ａは、保持部４の前端に配置され、案内孔部４ｂは、保持孔部４ａの後方に配置されている。そして、案内孔部４ｂは、保持孔部４ａに連通している。なお、案内孔部４ｂは、例えば、保持部４の後端まで延びていてもよい。即ち、保持部４は、保持孔部４ａ及び案内孔部４ｂによって、前後方向Ｄ１に貫通されていてもよい。
【００２２】
保持孔部４ａの内周部がボタン部１２ａを保持するように、保持孔部４ａの形状は、ボタン部１２ａの形状に対応して形成されている。例えば、本実施形態のように、ボタン部１２ａが円形状に形成されていることに対して、保持孔部４ａは、前後方向Ｄ１視にて、円形状に形成されていてもよい。これにより、ボタン部１２ａが保持孔部４ａの内部に嵌まることによって、ボタン部１２ａに対する保持孔部４ａの左右方向Ｄ２及び上下方向Ｄ３の変位を規制することができる。
【００２３】
案内孔部４ｂの内周部が部品２０を案内するように、案内孔部４ｂの形状は、部品２０の形状に対応して形成されている。例えば、本実施形態のように、部品２０が円形状に形成されていることに対して、案内孔部４ｂは、前後方向Ｄ１視にて、円形状に形成されていてもよい。これにより、部品２０が案内孔部４ｂの内部に嵌まることによって、部品２０を前後方向Ｄ１に案内することができる。
【００２４】
プレート当接部４ｃは、例えば、本実施形態のように、保持部４の前端面に配置され、プレート１３の表面に接するように、平面状に形成されていてもよい。ボタン当接部４ｄは、例えば、本実施形態のように、保持孔部４ａの後端部に配置され、ボタン１４の表面の外周部に接するように、前後方向Ｄ１視にて環状に形成されていてもよい。
【００２５】
開放部４ｅは、例えば、本実施形態のように、保持部４の上方に配置され、案内孔部４ｂの上部を開放していてもよい。そして、例えば、開放部４ｅは、案内孔部４ｂの内部に配置される部品２０の少なくとも一部を上下方向Ｄ３視で露出するように、配置されていてもよい。
【００２６】
ベース部５は、例えば、本実施形態のように、左右方向Ｄ２の両側に、把持される把持部５ａ，５ａと、可動体３を操作するための貫通孔部５ｂと、治具１の水平度を示す水準器５ｃとを備えていてもよい。そして、例えば、ベース部５の左右方向Ｄ２の寸法は、保持部４の左右方向Ｄ２の寸法よりも、大きくなっており、把持部５ａは、保持部４よりも、左右方向Ｄ２の外側に配置されている、という構成でもよい。
【００２７】
可動体３は、部品２０を支持して操作盤１２へ向けて押すために、案内孔部４ｂの内部を移動可能な支持部３ａと、支持部３ａに固定され、支持部３ａが案内孔部４ｂの内部を移動するために操作される操作部３ｂとを備えている。そして、可動体３は、操作されることによって、本体２に対して前後方向Ｄ１に移動する。
【００２８】
支持部３ａは、例えば、本実施形態のように、可動体３の前端部に配置されていてもよい。そして、支持部３ａは、可動体３の位置に関わらず、案内孔部４ｂの内部に配置されていることが好ましい。また、部品２０が表面から突出する突出部２０ａ（図８参照）を有することに対して、支持部３ａは、例えば、本実施形態のように、突出部２０ａを収容する凹部３ｄを備えていてもよい。
【００２９】
操作部３ｂは、例えば、本実施形態のように、可動体３の後端面に配置されており、ベース部５の貫通孔部５ｂは、操作部３ｂを外部に露出させている、という構成でもよい。これにより、貫通孔部５ｂを経由して、操作部３ｂを後方から押し操作することができる。
【００３０】
なお、特に限定されないが、可動体３、保持部４及びベース部５は、例えば、透明の材質で形成されていてもよい。これにより、案内孔部４ｂの内部に配置された部品２０を、治具１の外部から視認することができる。
【００３１】
また、本実施形態のように、接続部６は、前後方向Ｄ１へ延びており、可動体３は、接続部６に前後方向Ｄ１に案内される、という構成でもよい。例えば、接続部６は、可動体３に挿通されていてもよい。
【００３２】
また、可動体３は、例えば、本実施形態のように、前後方向Ｄ１の移動を規制する規制部３ｃを備えていてもよい。例えば、規制部３ｃは、保持部４とベース部５との間に配置され、前後方向Ｄ１視にて、保持部４及びベース部５とそれぞれ重なっている、という構成でもよい。これにより、可動体３は、規制部３ｃが保持部４と当たる最前位置（図１３参照）と、規制部３ｃがベース部５と当たる最後位置（図９及び図１０参照）との間を、移動することができる。
【００３３】
ところで、部品２０は、図７に示すように、円形状の板状に形成される部品本体２０ｂと、例えば、数字、点字、記号等を表示するために、部品本体２０ｂから突出する突出部２０ａとを備えていてもよい。即ち、本実施形態の治具１によって操作盤１２に取り付けられる部品２０は、ボタン１４の表面に取り付けられるボタンプレートである。
【００３４】
部品本体２０ｂは、外周部に凹凸部２０ｃを備えている。なお、凹凸部２０ｃは、例えば、本実施形態のように、凹部としてもよい。また、凹凸部２０ｃは、例えば、部品本体２０ｂの下方に配置されていてもよい。これにより、部品２０がボタン１４の表面に取り付けられたときに、凹凸部２０ｃが視認され難い。
【００３５】
それに対して、図８に示すように、案内孔部４ｂは、内周部に、部品２０の凹凸部２０ｃを周方向（具体的には、部品２０の周方向、案内孔部４ｂの周方向）で引っ掛ける引掛部４ｆを備えている。そして、引掛部４ｆは、案内孔部４ｂの内周部の下方に配置されている。
【００３６】
また、引掛部４ｆは、凹凸状に形成されている。例えば、本実施形態のように、凹凸部２０ｃが凹部であることに対して、引掛部４ｆは、案内孔部４ｂの径方向の内方へ向けて突出する凸部としてもよい。なお、支持部３ａは、例えば、本実施形態のように、引掛部４ｆに当たることを避けるために、下方に切欠部３ｆを備えていてもよい。
【００３７】
また、引掛部４ｆは、例えば、本実施形態のように、前後方向Ｄ１に延びていてもよい。これにより、部品２０が案内孔部４ｂに案内されるときに、引掛部４ｆが部品２０の凹凸部２０ｃを周方向で引っ掛けつつ、部品２０の凹凸部２０ｃは、引掛部４ｆに案内される。
【００３８】
本実施形態に係る治具１の構成については以上の通りであり、次に、本実施形態に係る治具１を用いて部品２０を取り付ける方法について、図９〜図１４を参照しながら説明する。
【００３９】
図９に示すように、可動体３が最後位置に位置した状態で、部品２０が案内孔部４ｂの内部に配置され、支持部３ａが部品２０を支持する（部品配置工程）。例えば、部品２０を案内孔部４ｂの内部に配置した後で、可動体３を最後位置に移動させてもよく、また、例えば、可動体３を最後位置に移動させた後に、部品２０を案内孔部４ｂの内部に配置してもよい。
【００４０】
そして、本実施形態のように、例えば、部品２０の裏面に、接着材２１が着けられていてもよい。接着材２１は、特に限定されないが、例えば、両面テープや、固化する液状の接着剤としてもよい。なお、例えば、部品２０がボタン１４に嵌め込められて固定される場合は、接着材２１は、無くてもよい。
【００４１】
また、このとき、部品２０の外周部の一部（具体的には、上部）は、開放部４ｅによって、露出している。これにより、例えば、部品２０の外周部に触れることによって、部品２０を案内孔部４ｂに入れたり案内孔部４ｂから出したりすることができる。また、例えば、接着材２１に剥離シートが着いている場合には、部品２０を案内孔部４ｂの内部に配置させた後に、例えば、工具（例えば、ピンセット等）を用いて、剥離シートを容易に剥がすことができる。
【００４２】
そして、図１０に示すように、ボタン１４が保持孔部４ａの内部に嵌められることによって、ボタン１４（ボタン部１２ａ）は、保持孔部４ａの内周部に保持される（ボタン保持工程）。なお、案内孔部４ｂが保持孔部４ａに連通しているため、部品２０を取り付ける位置は、保持孔部４ａに保持される位置と同じである。これにより、操作盤１２に対して部品２０を容易に位置決めすることができる。
【００４３】
このとき、プレート当接部４ｃは、プレート１３の表面と接しており、ボタン当接部４ｄは、ボタン１４の表面と接している。そして、例えば、プレート当接部４ｃとボタン当接部４ｄとの前後方向Ｄ１の距離は、ボタン１４がプレート１３から突出する量よりも小さくなっていてもよい。これにより、ボタン１４が押されてプレート１３に対して移動することによって、バネ材によってボタン１４に戻る力が加えられるため、ボタン１４は、ボタン当接部４ｄと加圧して接触する。
【００４４】
また、このとき、例えば、図１１に示すように、把持部５ａが指で把持された状態で、プレート当接部４ｃは、プレート１３の表面に押し付けられる。そして、把持部５ａがプレート当接部４ｃよりも後方に配置されているため、プレート１３と把持部５ａとの間に空間が有する。
【００４５】
これにより、例えば、把持部５ａを把持する指先が把持部５ａよりも前方に位置した状態で、当該操作を行うことができる。したがって、例えば、当該操作を容易に行うことができる。なお、このとき、治具１の水平度が水準器５ｃで確認されることによって、治具１の位置が決められる。
【００４６】
そして、図１２に示すように、貫通孔部５ｂの内部を経由して、操作部３ｂが操作される。このときも、プレート１３と把持部５ａとの間に空間が有するため、例えば、把持部５ａを前方から右手の人差指及び中指で押さえつつ、右手の親指で操作部３ｂを押し操作することができる。したがって、例えば、当該操作を容易に行うことができる。
【００４７】
そして、操作部３ｂが操作されることによって、図１３に示すように、可動体３が本体２に対して前方へ移動する。これに伴って、支持部３ａが案内孔部４ｂの内部を前方へ移動し、部品２０は、支持部３ａに押されて案内孔部４ｂの内部を前方へ移動する（部品取付工程）。このとき、部品２０が案内孔部４ｂの内周部に案内されているため、ボタン１４の表面まで部品２０を案内することができる。
【００４８】
しかも、引掛部４ｆが案内孔部４ｂの内周部の下方に配置されているため、部品２０の自重によって、部品２０の凹凸部２０ｃは、引掛部４ｆに周方向で引っ掛けられている。これにより、部品２０が案内孔部４ｂの内周部に案内されるときに、部品２０が周方向で回転することを確実に抑制することができる。
【００４９】
このように、部品２０の凹凸部２０ｃが下方に位置する状態で、部品２０がボタン１４へ向かって移動してボタン１４の表面に取り付けられる。したがって、ボタン１４に対する部品２０の周方向の位置決めを容易に行うことができる。そして、図１４に示すように、治具１が操作盤１２から取り外されることによって、部品２０がボタン１４の表面に取り付けられる。このように、治具１を用いることによって、操作盤１２の所望の位置に部品２０を容易に取り付けることができる。
【００５０】
以上より、本実施形態のように、治具１は、エレベータの操作盤１２に部品２０を取り付けるための治具１であって、前記操作盤１２のプレート１３から突出するボタン部１２ａを内周部で保持する保持孔部４ａと、前記部品２０が内部に配置され、前記操作盤１２へ向けて前記部品２０を内周部で案内する案内孔部４ｂと、を備える、という構成が好ましい。
【００５１】
斯かる構成によれば、部品２０が案内孔部４ｂの内部に配置され、ボタン部１２ａが保持孔部４ａの内周部に保持されることによって、部品２０が操作盤１２に対して位置決めされる。そして、部品２０が操作盤１２へ向けて案内孔部４ｂの内周部に案内されることによって、操作盤１２の所望の位置に部品２０を容易に取り付けることができる。
【００５２】
また、本実施形態のように、治具１においては、ボタン１４の表面に取り付けられる前記部品２０に対して、前記案内孔部４ｂは、前記保持孔部４ａに連通する、という構成が好ましい。
【００５３】
斯かる構成によれば、案内孔部４ｂが保持孔部４ａに連通しているため、保持孔部４ａに保持されるボタン部１２ａのボタン１４の表面に、部品２０が取り付けられる。これにより、部品２０を取り付ける位置が、保持孔部４ａに保持される位置と同じであるため、操作盤１２に対して部品２０を容易に位置決めすることができる。
【００５４】
また、本実施形態のように、治具１は、前記部品２０を支持して前記操作盤１２へ向けて押すために、前記案内孔部４ｂの内部を移動可能な支持部３ａと、前記支持部３ａに固定され、前記支持部３ａが前記案内孔部４ｂの内部を移動するために操作される操作部３ｂと、をさらに備える、という構成が好ましい。
【００５５】
斯かる構成によれば、支持部３ａが操作部３ｂに固定されているため、操作部３ｂが操作をされることによって、支持部３ａは、案内孔部４ｂの内部を移動する。これにより、支持部３ａが部品２０を支持しつつ押すため、部品２０は、案内孔部４ｂの内周部に案内される。
【００５６】
また、本実施形態のように、治具１においては、外周部に凹凸部２０ｃを有する円形状の前記部品２０に対して、前記案内孔部４ｂは、内周部に、前記凹凸部２０ｃを周方向で引っ掛ける引掛部４ｆを備える、という構成が好ましい。
【００５７】
斯かる構成によれば、引掛部４ｆが、部品２０の凹凸部２０ｃを周方向で引っ掛けるため、部品２０が案内孔部４ｂの内周部に案内されるときに、部品２０が周方向で回転することを抑制することができる。これにより、操作盤１２に対する部品２０の周方向の位置決めを容易に行うことができる。
【００５８】
また、本実施形態のように、治具１においては、前記引掛部４ｆは、前記案内孔部４ｂの内周部の下方に配置される、という構成が好ましい。
【００５９】
斯かる構成によれば、引掛部４ｆが案内孔部４ｂの内周部の下方に配置されているため、部品２０の自重によって、部品２０の凹凸部２０ｃを引掛部４ｆに確実に引っ掛けることができる。これにより、部品２０が案内孔部４ｂの内周部に案内されるときに、部品２０が周方向で回転することを確実に抑制することができる。
【００６０】
なお、治具１は、上記した実施形態の構成に限定されるものではなく、また、上記した作用効果に限定されるものではない。また、治具１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６１】
（１）上記実施形態に係る治具１においては、案内孔部４ｂは、保持孔部４ａに連通している、という構成である。しかしながら、治具１は、斯かる構成に限られない。例えば、案内孔部４ｂは、保持孔部４ａから離れている、という構成でもよい。
【００６２】
具体的には、例えば、部品２０は、ボタン１４の横に並ぶようにプレート１３の表面に取り付けられる点字プレートであって、案内孔部４ｂは、保持孔部４ａと左右方向Ｄ２に離れて配置されている、という構成でもよい。当該構成によれば、案内孔部４ｂの内部に部品２０が配置され、保持孔部４ａがボタン部１２ａを内周部で保持し、その後、部品２０がボタン部１２ａの横のプレート１３の位置へ向けて案内されて取り付けられる。
【００６３】
（２）また、上記実施形態に係る治具１は、部品２０ａを押す支持部３ａを備えている、という構成である。しかしながら、治具１は、斯かる構成に限られない。例えば、部品２０ａは、直接に操作されて（例えば、指に直接触れられつつ押されて）、案内孔部４ｂの内部を移動する、という構成でもよい。
【００６４】
（３）また、上記実施形態に係る治具１においては、案内孔部４ｂは、内周部に、凹凸部２０ｃを周方向で引っ掛ける引掛部４ｆを備える、という構成である。しかしながら、治具１は、斯かる構成に限られない。例えば、案内孔部４ｂは、引掛部４ｆを備えていない、という構成でもよい。なお、部品２０が、円形状ではなく、例えば、多角形状又は楕円形状である場合には、案内孔部４ｂは、部品２０が内部に嵌まるような形状に形成されることによって、部品２０を周方向で引っ掛けることができる。
【００６５】
（４）また、上記実施形態に係る治具１においては、引掛部４ｆは、案内孔部４ｂの内周部の下方に配置されている、という構成である。しかしながら、治具１は、斯かる構成に限られない。例えば、引掛部４ｆは、案内孔部４ｂの内周部の上方又は側方に配置されている、という構成でもよい。
【００６６】
（５）また、上記実施形態に係る治具１においては、保持孔部４ａは、ボタン１４を内周部で保持する、という構成である。しかしながら、治具１は、斯かる構成に限られない。例えば、保持孔部４ａは、ボタン枠１５（図２（ｂ）参照）を内周部で保持する、という構成でもよい。
【符号の説明】
【００６７】
１…治具、２…本体、３…可動体、３ａ…支持部、３ｂ…操作部、３ｃ…規制部、３ｄ…凹部、３ｆ…切欠部、４…保持部、４ａ…保持孔部、４ｂ…案内孔部、４ｃ…プレート当接部、４ｄ…ボタン当接部、４ｅ…開放部、４ｆ…引掛部、５…ベース部、５ａ…把持部、５ｂ…貫通孔部、５ｃ…水準器、６…接続部、１１…かご、１２…操作盤、１２ａ…ボタン部、１３…プレート、１４…ボタン、１５…ボタン枠、２０…部品、２０ａ…突出部、２０ｂ…部品本体、２０ｃ…凹凸部、２１…接着材
【要約】
【課題】  操作盤の所望の位置に部品を容易に取り付けることができる治具を提供する。
【解決手段】  治具は、エレベータの操作盤に部品を取り付けるための治具であって、操作盤のプレートから突出するボタン部を内周部で保持する保持孔部と、部品が内部に配置され、操作盤へ向けて部品を内周部で案内する案内孔部と、を備える。
【選択図】  図３【図１】
0006986610.tif 000002
【図２】
0006986610.tif 000003
【図３】
0006986610.tif 000004
【図４】
0006986610.tif 000005
【図５】
0006986610.tif 000006
【図６】
0006986610.tif 000007
【図７】
0006986610.tif 000008
【図８】
0006986610.tif 000009
【図９】
0006986610.tif 000010
【図１０】
0006986610.tif 000011
【図１１】
0006986610.tif 000012
【図１２】
0006986610.tif 000013
【図１３】
0006986610.tif 000014
【図１４】
0006986610.tif 000015